(57)【要約】      （修正有）【課題】公衆トイレに尿検査紙自動販売機を多数設置し、公衆トイレの利用者が適宜簡単に尿検査紙を利用して健康状態を尿の状態からチェックすることを可能とする尿検査紙自動販売機を提供する。【解決手段】簡易尿検査が可能な尿検査紙自動販売機において、外面に案内部１１、広告部１２、手動表示部１３、自動表示部１４及び操作部１５が各々形成された筐体型の自動販売機本体１と、前記自動販売機本体の一側に付着設置された検査紙回収箱１６と、前記自動表示部と連結された判別手段３を有し、前記自動販売機本体の中央部の上面内側に形成された測定部１７と、前記測定部内の下部に設置され、残尿収去箱を有する検査紙設置台２とを備える。当該尿検査紙自動販売機は、尿を付けられた尿検査紙の反応部の変化度を識別するための表示を利用者に提供する。【選択図】図１
0003144152.tif 000002
【実用新案登録請求の範囲】
【請求項１】
公衆トイレに設置される簡易尿検査が可能な尿検査紙自動販売機において、
外面に案内部、広告部、手動表示部、自動表示部及び操作部が各々形成された筐体型の自動販売機本体と、
前記自動販売機本体の一側に付着設置された検査紙回収箱と、
前記自動表示部と連結された判別手段を有し、前記自動販売機本体の中央部の上面内側に形成された測定部と、
前記測定部内の下部に設置され、残尿収去箱を有する検査紙設置台と、
を備え、
前記尿検査紙自動販売機から受け渡され尿を付けられた尿検査紙の反応部の変化度を識別するための表示を利用者に提供することを特徴とする、
簡易尿検査が可能な尿検査紙自動販売機。
【考案の詳細な説明】
【技術分野】
【０００１】
本考案は、簡易尿検査が可能な尿検査紙自動販売機に関する。より詳細には、本発明に係る尿検査紙自動販売機は、例えば公衆トイレの小便器周囲に多数設置され、公衆トイレ利用者が必要に応じてその場で簡単に尿検査紙を利用し、利用者自身の健康状態をいつでもチェックできるようにすることにより、各種成人病の進行を事前に把握し、重症疾患への進行を未然に防止することが可能となり、各種病気に対する警戒心が向上すると共に、国民の健康が守られる。
【背景技術】
【０００２】
一般に、各種病気の初期感染の有無を把握する方法として尿検査が広く行われているが、この尿検査は、家庭で尿検査紙を利用する健康に関心を有する人が行う場合を除き、ほとんどの場合病院で行われている。
【０００３】
このように、多様な病気の初期感染の有無を把握できる尿検査が病院で行われているため、様々な理由で病院を訪れない大多数の人は自分の健康状態をチェックする機会を持たず、よって軽い初期疾患も重症疾患に進行し、肉体的、精神的及び経済的な苦痛が生じるという問題があった。
【考案の開示】
【考案が解決しようとする課題】
【０００４】
即ち、本考案の目的は、自分の健康状態を随時尿検査によってチェックできず、軽い病気も重症疾患へ進行するという従来の尿検査方法が有する諸問題を解決するために、公衆トイレの利用者が例えば小便器周囲に多数設置される尿検査紙自動販売機の尿検査紙を利用して簡便に尿検査をし、利用者自身の健康状態を分かるようにすると共に、病気に対する初期対応を可能として迅速かつ経済的に自身の健康を守ることのできる、簡易尿検査が可能な尿検査紙自動販売機を提供することである。
【課題を解決するための手段】
【０００５】
上記課題を解決するために、本考案のある観点によれば、公衆トイレに設置される簡易尿検査が可能な尿検査紙自動販売機において、外面に案内部、広告部、手動表示部、自動表示部及び操作部が各々形成された筐体型の自動販売機本体と、前記自動販売機本体の一側に付着設置された検査紙回収箱と、前記自動表示部と連結された判別手段を有し、前記自動販売機本体の中央部の上面内側に形成された測定部と、前記測定部内の下部に設置され、残尿収去箱を有する検査紙設置台と、を備え、前記尿検査紙自動販売機から受け渡され尿を付けられた尿検査紙の反応部の変化度を識別するための表示を利用者に提供することを特徴とする、簡易尿検査が可能な尿検査紙自動販売機が提供される。
【考案の効果】
【０００６】
以上説明したように、本考案に係る簡易尿検査が可能な尿検査紙自動販売機は例えば公衆トイレの小便器周囲またはお手洗い入口に設置され、利用者が一般の自動販売機のように所定の金額を投入し、受け取った尿検査紙の反応部に尿を付け、及び当該反応部の色変化を直接肉眼で手動表示部の対照表と比較して判別し、または判別センサーが当該反応部の色変化を感知して判別し、例えば特定の病気の感染有無や進行度が自動表示部に表示されることにより、被検査者の健康の悪化が未然に防止される。また、利用者が、病院に直接行くことなく簡便に、例えば特定の病気の感染有無及びその感染程度を把握することが可能となり、国民の健康増進に大きく寄与する。
【考案を実施するための最良の形態】
【０００７】
以下に添付図面を参照しながら、本考案が属する技術分野において通常の知識を有する者が本考案を容易に実施できるように、本考案の好適な実施の形態について詳細に説明する。なお、本明細書及び図面において、実質的に同一の機能構成を有する構成要素については、同一の符号を付することにより重複説明を省略する。
【０００８】
図１は、本考案の一実施形態に係る簡易尿検査が可能な尿検査紙自動販売機の構成を示した斜視図である。図２Ａは、本考案の一実施形態に係る簡易尿検査が可能な尿検査紙自動販売機の手動検査部の構成を示した拡大図である。図２Ｂは、本考案の一実施形態に係る簡易尿検査が可能な尿検査紙自動販売機の作動部の構成を示した拡大図である。図３は、本考案の一実施形態に係る簡易尿検査紙自動販売機の適用される簡易尿検査紙の斜視図である。図４は、本考案の一実施形態に係る簡易尿検査が可能な尿検査紙自動販売機の構成を示した設置使用状態図である。
【０００９】
本考案の一実施形態に係る簡易尿検査が可能な尿検査紙自動販売機（Ａ）は、所定の厚さを有する小型筐体型の自動販売機本体１の前面部の外面に自動販売機（Ａ）の使用説明及び注意事項などを知らせる案内部１１と、各種成人病関連の広告などを表示できる広告部１２と、尿検査紙４の反応部４１の色変化程度を利用者が直接肉眼で対照できる手動表示部１３と、尿検査紙４の反応部４１の色変化程度を判別手段３により測定してその結果を表示する自動表示部１４と、コインの投入により検査紙を排出するなど自動販売機の一連の動作を行う操作部１５をそれぞれ備えており、また自動販売機本体１の一側には自動または手動対照を完了した尿検査紙４の回収のための検査紙回収箱１６が設置されると共に、中央部には前面が開放されたままその内部の上面に尿検査紙４の反応部４１の変化程度を感知して判別結果を自動表示部１４に表示する判別手段３を備えた筐体型の空間部となる測定部１７が形成され、その空間部内に検査紙設置台２が設置される。
【００１０】
前述の構成の中で、前記手動表示部１３には、一般に初期尿検査のための対照表、例えば尿中の蛋白質（ｐｒｏｔｅｉｎ）、ブドウ糖（ｇｌｕｃｏｓｅ）、ｐＨ、及び潜血（Ｏｃｃｕｌｔ  ｂｌｏｏｄ）の程度が色の変化により表示される。それにより、尿検査紙４の利用者は、直接自分の尿が付いた尿検査紙４の反応部４１の色変化を、多段階でその症状の程度を区分して手動表示部１３に表示された対照表と対照し、例えば病気への感染の有無及びその程度を簡単に判別して対処することが可能となる。
【００１１】
前記自動表示部１４は、尿検査紙４の利用者により尿を付けた尿検査紙４を測定部１７に設置される検査紙設置台２の上に置いて判別手段作動スイッチ１７１を作動させ、判別手段３によりその対照結果を自動表示部１４に例えば「正常」または「管理要望」あるいは「専門医相談」などの３段階のいずれか１つに区分して表示させ、例えば病気への感染の有無及びその感染の程度を簡単に判別して適切な対応をとることを可能とする。
【００１２】
前記操作部１５は、一般の自動販売機のようにコイン投入口１５１、紙幣投入口１５２ａ、返還レバー１５２、金額表示窓１５３、検査紙排出ボタン１５４、検査紙排出口１５５及び釣銭排出口１５６により構成され、一連の自動販売機の動作を可能とする。
【００１３】
前記のような構成を有する簡易尿検査が可能な尿検査紙自動販売機（Ａ）は、一例として図４に示しているように、男女公衆トイレの小便器５（本明細書では男性用小便器を例とする。）の周囲に多数設置される。簡易尿検査を望む利用者は、用を足す前に所定の金額を自動販売機本体１の一側の操作部１５に形成されたコイン投入口１５１や紙幣投入口１５２ａに投入し、検査紙排出口１５５から尿検査紙４を受け取り、尿検査紙４の反応部４１に利用者の尿を付け、反応部４１が反応している状態で、当該尿検査紙４を自動販売機本体１の中央部の測定部１７に設置された検査紙設置台２に置いた後、判別手段作動スイッチ１７１を作動させることにより、判別手段３による感知・測定結果が自動表示部１４に表示され、例えば被検査者の特定の病気への感染有無または症状の程度などを簡便に知ることができる。
【００１４】
また、被検査者の尿が付いた尿検査紙４を検査紙設置台２に置かずに被検査者が直接肉眼で判別する場合には、尿検査紙４の反応部４１を直接自動販売機本体１の手動表示部１３に表示された対照表と対照して、例えば本人の特定の病気への感染有無及び感染程度などを判別することができる。
【００１５】
ここで、前述の構成において、本考案の一実施形態に係る尿検査紙自動販売機（Ａ）をより多くの国民により利用可能とするために、公共施設の公衆トイレにおいて、所定の金額（コイン）が投入されることなく単純に検査紙排出ボタン１５４が押された場合に、尿検査紙４を排出してもよい。また、尿検査紙４の反応部４１の条件（検査項目の数）を多様にしてもよい。その場合、手動検査部１３の対照表と判別手段３の判別能力を前記尿検査紙４の反応部４１の条件に対応させて設定することにより、尿検査のみで様々な病気に対して重い症状への進行を遮断し及び予防するといった効果も期待できる。
【００１６】
また、本明細書では、本考案の一実施形態に係る尿検査紙自動販売機（Ａ）を男性トイレの小便器５の周囲に多数設置することを例として説明したが、他の実施形態として、女性トイレの入口に尿検査紙自動販売機を設置し、女性の特定の病気の感染有無、症状の程度、または妊娠の有無などが分かるようにしてもよい。
【００１７】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【図面の簡単な説明】
【００１８】
【図１】本考案の一実施形態に係る簡易尿検査紙自動販売機の斜視図である。
【図２Ａ】本考案の一実施形態に係る簡易尿検査紙自動販売機の要部拡大図である。
【図２Ｂ】本考案の一実施形態に係る簡易尿検査紙自動販売機の要部拡大図である。
【図３】本考案の一実施形態に係る簡易尿検査紙自動販売機の適用される簡易尿検査紙の斜視図である。
【図４】本考案の一実施形態に係る簡易尿検査紙自動販売機の設置使用状態図である。
【符号の説明】
【００１９】
１        自動販売機本体
２        検査紙設置台
３        判別手段
４        尿検査紙
５        小便器
１１      案内部
１２      広告部
１３      手動表示部
１４      自動表示部
１５      操作部
１６      検査紙回収箱
１７      測定部
【図１】
0003144152.tif 000003
【図２Ａ】
0003144152.tif 000004
【図２Ｂ】
0003144152.tif 000005
【図３】
0003144152.tif 000006
【図４】
0003144152.tif 000007
【手続補正書】
【提出日】平成20年6月5日(2008.6.5)
【手続補正１】
【補正対象書類名】実用新案登録請求の範囲
【補正対象項目名】全文
【補正方法】変更
【補正の内容】
【実用新案登録請求の範囲】
【請求項１】
公衆トイレに設置される簡易尿検査が可能な尿検査紙自動販売機において、
外面に案内部、広告部、手動表示部、自動表示部及び操作部が各々形成された筐体型の自動販売機本体と、
前記自動販売機本体の一側に付着設置された検査紙回収箱と、
前記自動販売機本体の中央部において前面が開放された筐体型の空間部である測定部と、
前記測定部内の下部に設置され、残尿収去箱を有する検査紙設置台と、
を備える、
簡易尿検査が可能な尿検査紙自動販売機。